(57)【要約】  【課題】檀家制度の衰退や核家族化の進行により、戒名を作成する僧侶が故人のことを良く知らない状況となり、戒名の作成に困難が生じつつある。  【解決手段】戒名を作成するための院号情報の情報取得をする部、譽号情報の情報取得をする部、道号情報の情報取得をする部、法号情報の情報取得をする部、位号情報の情報取得をする部を有し、それぞれの情報取得により取得された情報に基づいて、戒名を生成する名称生成装置を提供する。【選択図】  図１
2005216193.tif 000002
【特許請求の範囲】
【請求項１】
院号を示す情報である院号情報の情報取得をする院号情報取得部と、
譽号を示す情報である譽号情報の情報取得をする譽号情報取得部と、
道号を示す情報である道号情報の情報取得をする道号情報取得部と、
法名を示す情報である法名情報の情報取得をする法名情報取得部と、
位号を示す情報である位号情報の情報取得をする位号情報取得部と、
前記院号情報取得部で取得された院号情報と、前記譽号情報取得部で取得された譽号情報と、前記道号情報取得部で取得された道号情報と、前記法名情報取得部で取得された法名情報と、前記位号情報取得部で取得された位号情報と、に基づいて戒名を生成する戒名生成部と、
を有する名称生成装置。
【請求項２】
前記各情報取得部は、前記情報取得を、複数の状況説明情報から一の状況説明情報を選択することにより行なう選択手段を有し、前記選択手段の選択に基づいて情報取得を行なう請求項１に記載の名称生成装置。
【請求項３】
前記状況説明情報と、一ないし三文字の象徴文字列とを関連付けて保持する象徴文字保持部を有し、
前記戒名生成部は、前記選択手段の選択した状況説明情報に関連付けられた象徴文字列を連ねることで戒名を生成する象徴文字構成手段を有する
請求項２に記載の名称生成装置。
【請求項４】
前記選択手段は、プルダウンメニューを利用して選択を利用者にさせることで状況説明情報を選択する請求項２又は３に記載の名称生成装置。
【請求項５】
前記選択手段は、文章入力器を有し、
前記文章入力器に入力された文章を意味解析することで状況説明情報を選択する請求項２から４のいずれか一に記載の名称生成装置。
【請求項６】
前記文章入力器は、故人が差出人、又は／及び、故人が宛名のメールを入力すべき文章として入力する請求項５に記載の名称生成装置。
【請求項７】
前記選択手段は、キーワード入力器を有し、
前記キーワード入力器に入力されたキーワードを意味解析することで状況説明情報を選択する請求項２から４のいずれか一に記載の名称生成装置。
【請求項８】
院号を示す情報である院号情報の情報取得をする院号情報取得ステップと、
譽号を示す情報である譽号情報の情報取得をする譽号情報取得ステップと、
道号を示す情報である道号情報の情報取得をする道号情報取得ステップと、
法名を示す情報である法名情報の情報取得をする法名情報取得ステップと、
位号を示す情報である位号情報の情報取得をする位号情報取得ステップと、
前記院号情報取得ステップで取得された院号情報と、前記譽号情報取得ステップで取得された譽号情報と、前記道号情報取得ステップで取得された道号情報と、前記法名情報取得ステップで取得された法名情報と、前記位号情報取得ステップで取得された位号情報と、に基づいて戒名を生成する戒名生成ステップと、
を有する名称生成方法。
【発明の詳細な説明】
【技術分野】
【０００１】
本発明は、名称を生成する装置及び方法に関する。特に、戒名を作成する装置及び方法に関する。
【背景技術】
【０００２】
戒名は、本来は仏道に帰依した者に授けられる名前であり、生前に授けられるのが望ましいとされている。しかし、生活スタイルの変化や核家族化などにより、檀家制度の衰退が見受けられるようになり、次第に無宗教の人が増えてきた。このため、生前に戒名が授けられる場合は少なくなってきており、人が亡くなった後から葬儀が執り行われる前までに、急いで戒名が授けられる場合がほとんどであると言ってよい。
【０００３】
しかし、寺院の住職などとの僧侶と一般の人々との関係が希薄となった現代では、戒名を授ける僧侶が、亡くなった人がどのような人生を歩んでいたかを知る場合が少なく、戒名を付けるにあたって、困難を感じる場合が少なくない。
【０００４】
一方、禅宗などの宗派の葬儀では、葬儀にあたって、故人の経歴、信仰生活を示し、その遺徳をたたえて冥福を祈るために引導法語が述べられる。そこで、引導語法を容易に作成するための技術が開示されている（例えば、特許文献１参照。）。
【特許文献１】特開２００３−１５０５９１号公報
【発明の開示】
【発明が解決しようとする課題】
【０００５】
引導法語は、故人の経歴などを含むため、その表わす内容は戒名と類似している。引導法語は、頌、戒名、腹、一字関、落句、の五つの部分から構成され、特に戒名が含まれている。しかし、特許文献１により開示された技術では、戒名は自動的に生成されるのではなく、僧侶などが作成した戒名を入力するようになっている。すなわち、従来技術では、戒名を作成するための労力、時間の軽減は達成されないという課題がある。
【０００６】
そこで、本発明では、戒名を作成するための労力、時間を軽減することを目的とする。
【課題を解決するための手段】
【０００７】
上記の課題を解決するために、本発明では、院号を示す情報、譽号を示す情報、道号を示す情報、法名を示す情報、位号を示す情報のそれぞれの情報取得をして、情報取得の結果に基づいて戒名を生成する装置を提供する。ここに、それぞれの情報取得は、複数の状況説明情報から一の状況説明情報を選択することにより行なわれるようになっていてもよい。「状況説明情報」とは、例えば、故人の生前の生活の状況を示す情報であったり、戒名を構成する院号などの説明を行なうための情報であったりする。また、状況説明情報に、一ないし三文字の象徴文字列を関連付けておき、状況説明情報の選択に応じて、象徴文字列が選択され、選択された象徴文字列を連ねることにより戒名が生成されるようになっていてもよい。
【０００８】
また、プルダウンメニューにより、状況説明情報などの選択が行なわれて情報取得が行なわれるようになっていてもよい。あるいは、故人の生前に関する文章の入力が行なわれ、入力がされた文章の意味解析の結果などに基づいて状況説明情報が選択されるようになっていてもよい。特に、故人の生前に関する文章は、故人が差出人、又は／及び、故人が宛先のメールであってもよい。あるいは、入力されたキーワードによって、状況説明情報が選択されるようになっていてもよい。
【発明の効果】
【０００９】
本発明により、特定の寺院などの檀家ではなく、故人の親や親族などとの関係上たまたま特定の宗派で葬儀を挙げることになった際に、効率的に戒名を生成することが可能となる。
【発明を実施するための最良の形態】
【００１０】
以下、本発明を実施するための最良の形態について、図を用いて複数の実施形態に分けて説明する。なお、本発明は、これら実施形態に何ら限定されるものではなく、その要旨を逸脱しない範囲において、種々なる態様で実施し得る。
【００１１】
（実施形態１）
本発明の実施形態１として、院号を示す情報などの情報取得を行なって戒名を生成する名称生成装置について説明する。
【００１２】
（実施形態１：構成）
図１は、本発明の実施形態１に係る名称生成装置の機能ブロック図を例示する。名称生成装置１００は、院号情報取得部１０１と、譽号情報取得部１０２と、道号情報取得部１０３と、法号情報取得部１０４と、位号情報取得部１０５と、戒名生成部１０６と、を有する。
【００１３】
「院号情報取得部」１０１は、院号情報の情報取得をする。ここに「院号情報」とは院号を示す情報である。「院号」とは、戒名の最初の部分の「○○院」という部分である（通常、院号は三文字からなるが、四文字以上となる場合もある）。なお、場合によっては、特に遺徳のある人には、院号の代わりに院殿号（例えば、「等持院殿」）が用いられる場合があり、本明細書においては、院号には院殿号も含まれるものとする。また、いわゆる風流人に対しては、院号の代わりに庵号（例えば、「他風庵」）が使用される場合があり、本明細書においては、院号には、庵号も含まれるものとする。
【００１４】
院号情報取得部１０１による院号情報の情報取得は、例えば、計算機のメモリの所定のアドレスに書き込まれた値を読み取ることにより行なわれる。所定のアドレスに書き込まれた値は、例えば、乱数の生成によって得られる値であったり、名称生成装置１００のユーザの操作により決定される値であったりする。また、所定のアドレスに書き込まれた値と、戒名で使用される院号とを関連付けで保持するデータ構造などが名称生成装置に備えられており、その関連付けを用いて、どの院号を用いるべきかが決定される。なお、戒名には、院号が無い場合があり、院号情報取得部１０１は、院号の有無を示す情報も取得するものとする。
【００１５】
図２は、所定のアドレスに書き込まれた値と、戒名で使用される院号と、を関連付けて保持するデータ構造を例示する。配列２０１の各要素として、院号を表わす文字列の先頭のアドレスが格納されている。所定のアドレスに書き込まれた値を配列の添え字として解釈することにより、院号を表わす文字列の先頭のアドレスを得ることができる。なお、所定のアドレスに書き込まれた値を配列の添え字として解釈する場合には、所定のアドレスに書き込まれた値をそのまま用いてもよいし、適宜、変換関数などを用いて、添え字に解釈してもよい。例えば、配列に格納されている文字列の先頭アドレスの数（以下、「配列の要素数」という）よりも、所定のアドレスに書き込まれた値が大きければ、配列の要素数で割った際の余を用いるようにしてもよい。
【００１６】
なお、図２において、添え字が１のところには、空文字列が格納されており、これにより、戒名に院号が無いことが表現されている。
【００１７】
図３は、院号を示す文字列である「妙法院」がメモリに格納されている様子の一例を示す。メモリ部分３０１には、漢字「妙」を表わす文字コードが格納され、メモリ部分３０１の隣のメモリ部分３０２には、漢字「法」を表わす文字コードが格納される。メモリ部分３０２の隣のメモリ部分３０３には、漢字「院」を表わす文字コードが格納される。メモリ部分３０３の隣のメモリ部分３０４には、文字列の終わりを示す「\0」という文字コードが格納される。この「\0」という文字コードは、通常は０という値になっている。なお、空文字列は、この「\0」という文字コードだけが格納されたメモリ領域により表現がされる。
【００１８】
「譽号情報取得部」１０２は、譽号情報の情報取得をする。「譽号情報」とは、譽号を示す情報である。「譽号」とは、一定の修行を受けた者に授けられる一又は複数の文字である。例えば、僧侶や宗派の信者に授けられる。したがって、場合によっては、戒名には譽号が無い場合がある。
【００１９】
譽号情報取得部１０２による譽号情報の情報取得は、院号情報取得部１０１のように、例えば、計算機のメモリの所定のアドレスに書き込まれた値を読み取ることにより行なわれる。譽号の有無を示す情報も取得する点も院号情報取得部１０１と同じである。また、所定のアドレスに書き込まれた値は、例えば、乱数の生成によって得られる値であったり、名称生成装置１００のユーザの操作により決定される値であったりする点も同じである。ただし、譽号情報取得部１０２が読み取るメモリの所定のアドレスと、院号情報取得部１０１が読み取るメモリの所定のアドレスは、通常は異なる。
【００２０】
「道号情報取得部」１０３は、道号情報の情報取得をする。「道号情報」とは、道号を示す情報である。「道号」とは、故人の人格、功績、地位、特技、性格など、故人が偲ばれる一又は複数の文字である。
【００２１】
道号情報取得部１０３による道号情報の情報取得は、例えば、計算機のメモリの所定のアドレスに書き込まれた値を読み取ることにより行なわれる。所定のアドレスに書き込まれた値は、例えば、乱数の生成によって得られる値であったり、名称生成装置１００のユーザの操作により決定される値であったりする。ただし、道号は、故人が偲ばれる文字であるため、乱数を用いるより、利用者の入力により行なわれるのが好適である。例えば、性格を示すブルダウンメニューが表示され、利用者は故人の性格を選択し、その選択に基づいて、道号情報の情報取得が行なわれるようになっていてもよい。
【００２２】
「法号情報取得部」１０４は、法号情報の情報取得をする。「法号情報」とは、法号を示す情報である。「法号」とは、狭義の戒名であり、通常は、故人の名前の一部を含む名前である。また法号には、例えば、檀家となっている寺院の住職の法号の一部が含まれたりする。
【００２３】
法号情報取得部１０４による法号情報の情報取得は、例えば、計算機のメモリの所定のアドレスに書き込まれた値を読み取ることにより行なわれる。所定のアドレスに書き込まれるのは、例えば、故人の名前の一部を含んで生成される名前である。すなわち、名称生成装置１００の利用者は、故人の名前を入力し、名称生成装置１００は、入力された名前から一部の文字を取り出す。その後、必要に応じて他の文字の追加を行ない、法号情報を生成して、メモリの所定のアドレスに書き込む。入力された名前から取り出される文字は、例えば、名前の最初の文字、名前を構成する文字のうち画数の多い文字、発生された乱数に基づいて指定される位置の文字、あらかじめ文字ごとにランク値（例えば、戒名としてのふさわしさを示す値）を付与しておき、そのランク値の一番大きい文字、などとして決定されるのが好適である。
【００２４】
「位号情報取得部」１０５は、位号情報の情報取得をする。「位号情報」とは、位号を示す情報である。「位号」とは、戒名の位を示す一又は複数の文字であり、多くの場合、故人の性別、年齢により決定される。例えば、故人が１５歳以上であれば、性別に応じて信士、信女、あるいは、居士、大姉や大居士、清大姉が決定され、仏門に入り剃髪などした者には、禅定門、禅定尼を決定する。また、故人が子供であれば、死産児には水子を、乳飲み子に嬰児、嬰女を、就学前の子供には孩児、孩女を、15歳未満の子供に童子、童女や善童子、善童女を決定する。
【００２５】
このため、名称生成装置１００は、例えば、故人の性別や年齢を、プルダウンメニューなどを用いて読み取り、その結果を位号情報取得部が読み取るメモリのメモリアドレスへ書き込むことを行なうのが好適である。
【００２６】
「戒名生成部」１０６は、院号情報取得部１０１で取得された院号情報と、譽号情報取得部１０２で取得された譽号情報と、道号情報取得部１０３で取得された道号情報と、法号情報取得部１０４で取得された法号情報と、位号情報取得部１０５で取得された位号情報と、に基づいて戒名を生成する。例えば、院号情報、譽号情報、道号情報、法号情報、位号情報を、配列やテーブルなどを用いて文字列に変換し、それらの文字列の連接を行なうことにより、戒名を示す文字列が生成される。例えば、院号情報が三千院、譽号情報が空文字列、道号情報が弁理、法号情報が郎純、位号情報が大居士をそれぞれ示しているならば、三千院弁理郎純大居士が生成される。
【００２７】
（実施形態１：処理の流れ）
図４は、本実施形態に係る名称生成装置の処理のフローチャートを例示する。ステップＳ４０１において、院号情報取得部１０１により、院号情報の情報取得をする。ステップＳ４０２において、譽号情報取得部１０２により、譽号情報の情報取得をする。ステップＳ４０３において、道号情報取得部１０３により、道号情報の情報取得をする。ステップＳ４０４において、法号情報取得部１０４により、法号情報の情報取得をする。ステップＳ４０５において、位号情報取得部１０５により、位号情報の情報取得をする。ステップＳ４０６において、ステップＳ４０１ないしステップＳ４０５で行なわれた情報取得に基づいて戒名を生成する。
【００２８】
なお、以上の説明から明らかなように、名称生成装置は、プログラムにより、院号情報取得ステップ、譽号情報取得ステップ、道号情報取得ステップ、法号情報取得ステップ、位号情報取得ステップ、戒名生成ステップを計算機に実行させることにより、実現することができる。ここに、院号情報取得ステップとは院号情報の情報取得をするステップであり、譽号情報取得ステップは譽号情報の情報取得をするステップであり、道号情報取得ステップは道号情報の情報取得をするステップであり、法号情報取得ステップは法号情報の情報取得をするステップであり、位号情報取得ステップは位号情報の情報取得をするステップであり、戒名生成ステップは、取得された院号情報、譽号情報、道号情報、法号情報、位号情報に基づいて戒名を生成するステップである。すなわち、それぞれのステップは、院号情報取得部１０１、譽号情報取得部１０２、道号情報取得部１０３、法号情報取得部１０４、位号情報取得部１０５、戒名生成部１０６に対応する。
【００２９】
また、名称生成装置や、上記のプログラムは、院号情報取得ステップ、譽号情報取得ステップ、道号情報取得ステップ、法号情報取得ステップ、位号情報取得ステップ、戒名生成ステップを含む名称生成方法を使用するための装置、プログラムと解釈することもできる。すなわち、院号情報取得ステップは、院号情報取得部を動作させるためのステップであり、譽号情報取得ステップは譽号情報取得部を動作させるためのステップであり、道号情報取得ステップは道号情報取得部を動作させるためのステップであり、法号情報取得ステップは法号情報取得部を動作させるためのステップであり、位号情報取得ステップは位号情報取得部を動作させるためのステップであり、戒名生成ステップは戒名生成部を動作させるためのステップである。なお、名称生成方法を使用するための装置、プログラムは、上記の装置、プログラムに限定されることはない。
【００３０】
（実施形態１：主な効果）
本実施形態により、戒名を効率よく作成することが可能となる。
【００３１】
（実施形態２）
本発明の実施形態２として、状況説明情報の選択により、それぞれの情報取得を行なう名称生成装置について説明する。
【００３２】
（実施形態２：構成）
図５は、本発明の実施形態２に係る名称生成装置の機能ブロック図を例示する。名称生成装置５００は、院号情報取得部１０１と、譽号情報取得部１０２と、道号情報取得部１０３と、法号情報取得部１０４と、位号情報取得部１０５と、戒名生成部１０６と、を有し、院号情報取得部１０１と、譽号情報取得部１０２と、道号情報取得部１０３と、法号情報取得部１０４と、位号情報取得部１０５とのそれぞれは、選択手段５０１〜５０５を有する。したがって、本実施形態に係る名称生成装置は、実施形態１に係る名称生成装置の院号情報取得部１０１、譽号情報取得部１０２、道号情報取得部１０３、法号情報取得部１０４、位号情報取得部１０５が選択手段５０１〜５０５を有する構成となっている。
【００３３】
なお、本明細書においては、同じ定義が適用される部、手段には、できるだけ同じ符号を割り当てることにする。なお、実際に製造などを行なう場合には、同じ符号が割り当てられているからといって、つくりが同じになるとは限らない。
【００３４】
「選択手段」は、情報取得を、複数の状況説明情報から一の状況説明情報を選択することにより行なう手段である。「状況説明情報」とは、例えば、故人の生前の生活の状況を示す情報であったり、戒名を構成する院号などの説明を行なうための情報であったりする。本実施形態では、情報取得は選択手段の選択に基づいて行なわれる。「選択に基づいて」とは、情報取得に対して、選択がなんらかの影響力を有することを意味する。
【００３５】
図６は、院号情報の情報取得をするために、複数の状況説明情報を表示し、一の状況説明情報を選択するための画面６０１を例示する。画面６０１の内部にサブ画面６０２がスクロールバー６０３を用いて表示され、その中に、ラジオボタン６０４とともに状況説明情報が表示されている。名称生成装置の利用者により、いずれかのラジオボタンがマウスなどによりクリックされ、選択ボタンが押下されることにより、状況説明情報が選択される。選択の結果は、どのラジオボタンが選択されたかを示す値として、所定のメモリアドレスに書き込まれる。
【００３６】
なお、図６において、「システム選択」とあるのは、例えば、乱数を生成して状況説明情報を選択することを表わしている。また、その他の記述は、それぞれの院号の説明をする。例えば、僧昌雲が住坊を構えたことに由来するのは、妙法院であり、最澄が開いた一院に始まるのは、三千院である。また、家光夫人の院号は、大猷院である。
【００３７】
図７は、院号情報の情報取得を行なうための別の画面７０１であって、状況説明情報を選択するための画面を例示する。この例では、故人の生前の生活の状況を示す情報を選択するための画面を示している。例えば、画面７０１が示される前に、例えば、「故人による寄付」、「故人によるボランティア活動」などの選択をする画面が表示され、「故人による寄付」が選択されれば、画面７０１が表示される。テキストエリア７０２に故人が行なった寺院に対する寄付金額を入力すると、その入力が選択手段５０１に読み取られ、メモリの所定のアドレスに書き込まれ、院号情報取得部１０１により取得が可能となる。
【００３８】
図８は、図６の画面を用いる場合の院号情報取得部などの処理のフローチャートである。ステップＳ８０１において、図６に例示される画面を表示する。ステップＳ８０２において、選択ボタンが押下されるまで待つ。ステップＳ８０３において、状況説明情報の横のラジオボタンが選択されているかどうかを判断する。もし、選択されていなければ、ステップＳ８０１へ戻る。もし、選択されていれば、ステップＳ８０４へ処理を移行させる。ステップＳ８０４において、選択されたラジオボタンに基づいて情報取得を行なう。
【００３９】
（実施形態２：主な効果）
本実施形態によれば、状況説明情報の選択に基づいて、情報取得が行なわれるので、より適切な戒名を生成することが可能となる。
【００４０】
（実施形態３）
本発明の実施形態３として、状況説明情報と象徴文字を関連付けて保持し、象徴文字を連ねることにより戒名を生成する名称生成装置について説明する。
【００４１】
（実施形態３：構成）
図９は、本発明の実施形態３に係る名称生成装置の機能ブロック図を例示する。名称生成装置９００は、院号情報取得部１０１と、譽号情報取得部１０２と、道号情報取得部１０３と、法号情報取得部１０４と、位号情報取得部１０５と、戒名生成部１０６と、象徴文字保持部９０１と、を有する。院号情報取得部１０１と、譽号情報取得部１０２と、道号情報取得部１０３と、法号情報取得部１０４と、位号情報取得部１０５とのそれぞれは、選択手段５０１〜５０５を有し、戒名生成部１０６は、象徴文字構成手段９０２を有する。したがって、本実施形態に係る名称生成装置は、実施形態２に係る名称装置が象徴文字保持部を有し、戒名生成部が象徴文字構成手段を有する構成となっている。
【００４２】
「象徴文字保持部」９０１は、状況説明情報と、一ないし三文字の象徴文字と、を関連付けて保持する。例えば、画面６などに表示される状況説明情報の識別情報（例えば、状況説明情報に振られた連番）と象徴文字とを関連付けて保持する。例えば、配列に象徴文字を格納することにより、状況説明情報に振られた連番と関連付けがされる。また、法号情報の取得に際しては、例えば、人名と、その人名にふさわしい法号を示す象徴文字とを関連付けてデータベースに格納しておいてもよい。
【００４３】
（実施形態３：処理の流れ）
図１０は、本実施形態に係る名称生成装置の処理のフローチャートを例示する。ステップＳ１００１からステップＳ１００５までは、図４のフローチャートのステップＳ４０１からステップＳ４０５に相当するので、説明は省略する。
【００４４】
ステップＳ１００６において、戒名生成部１０６により、取得された各状況説明情報に関連付けて保持されている象徴文字を取得する。例えば、状況説明情報に振られた連番を配列の添え字として、配列の要素に格納されている象徴文字を取得する。ステップＳ１００７において、象徴文字構成手段９０２により、取得された象徴文字を連ねる。
【００４５】
（実施形態３：主な効果）
本実施形態によれば、状況説明情報を選択することにより、適切な戒名を生成することができる。
【００４６】
（実施形態４）
本発明の実施形態４として、プルダウンメニューにより状況説明情報の選択が行なわれる名称生成装置について説明する。
【００４７】
（実施形態４：構成）
本発明の実施形態４に係る名称生成装置は、実施形態２または３に係る名称生成装置と同じである。ただし、本実施形態においては、選択手段５０１〜５０５は、プルダウンメニューを利用して選択を利用者にさせることで状況説明情報を選択する。
【００４８】
図１１は、プルダウンメニューを利用して選択を利用者にさせるための画面の一例を示す。画面１１０１の中には、「院号選択」が表示され、現在、院号の選択を行なうための状況説明情報の選択が行なわれていることが示される。その中に、「故人は寺院に対して」の後に、空欄が示されている。空欄に隣接したボタン１１０２をマウスなどにより押下することにより、プルダウンメニュー１１０３が表示される。プルダウンメニューにはスクロールバー１１０４が付随して表示され、選択するべき項目が多数ある場合には、スクロールバーを移動させることにより、適宜表示を切り替えることができるようになっていてもよい。図１１では、プルダウンメニューの選択により、寺院に対する寄付金額が選択され、この選択によって、寄付金額についての故人の状況説明情報が選択される。また、プルダウンメニューには、図６に示したような院号についての状況説明情報が表示されて、選択が可能となっていてもよい。
【００４９】
他の情報選択、すなわち譽号情報、道号情報、法号情報、位号情報の情報取得についても同様である。また、プルダウンメニューには、象徴文字保持部により、状況説明情報に関連づけられている象徴文字も表示されるようになっていてもよい。
【００５０】
（実施形態４：主な効果）
本実施形態においては、プルダウンメニューを用いることにより、利用者にとっては簡単な操作で名称を生成することが可能となる。
【００５１】
（実施形態５）
本発明の実施形態５として、入力された文章の意味解析を行なうことにより、状況説明情報を選択する名称生成装置について説明する。
【００５２】
（実施形態５：構成）
図１２は、本発明の実施形態５に係る名称生成装置の機能ブロック図を例示する。名称生成装置１２００は、実施形態２から４のいずれか一に係る名称生成装置と同じ構成である。ただ、各選択手段５０１〜５０５が、文章入力器１２０１〜１２０５を有する点が、実施形態２から４のいずれか一に係る名称生成装置の構成と異なる。
【００５３】
「文章入力器」は、文章を入力するための機器である。例えば、表示される画面に、テキストの入力が可能なテキストエリアを含めておき、そのテキストエリアに入力された文章を取得することにより、文章を入力する。あるいは、ファイル名を指定することにより、そのファイル名で示されるファイルに含まれる文章を入力する。
【００５４】
図１３は、テキストエリアが含まれる画面表示の例を示す。画面１３０１の中に、テキストエリア１３０２が表示されている。図１３の例では、法号情報の情報取得のための文章がテキストとして入力される。他情報の情報取得についても同様である。例えば、法号情報を取得するために、故人の氏名、住所などを説明する文章（例えば、命名の由来、転居の履歴など）が入力される。
【００５５】
本実施形態においては、文章入力器に入力された文章を意味解析することで状況説明情報を選択する。文章の意味解析の手法には、種々のものがあるが、一例を挙げれば、形態素解析がある。形態素解析により文章から、それに含まれる単語を切り出すことができる。その結果、例えば、象徴文字と関連づけられていたり、象徴文字を示唆する特定の単語が含まれているかどうかを知ることができたりする。また、単語を切り出すことにより、単語の分布を知ることができ、例えば、頻度の最も高い単語を選択することにより、状況説明情報の選択を行ない、各種の情報取得を行なうことができる。あるいは、通常の日本語の文章に現れる単語の頻度をあらかじめ調べておき、その頻度と比較して、特異的に現れる単語を選択してもよい。「特異的に現れる」とは、通常の日本語の文章に現れる単語の相対的な頻度に比べて、例えば、所定の誤差範囲などを超えて、その単語が出現していることを意味し、相対的な頻度よりも大きな頻度で現れる場合と、小さな頻度で現れる場合の両方または、どちらか一方の場合がある。また、単語の切り出しを行なわずに、文字の出現頻度を求めるようにしてもよい。
【００５６】
（実施形態５：主な効果）
本発明によれば、入力された文章により状況説明情報の選択を行なうことができ、例えば、生成される戒名に重複が発生することを避けることが可能となる。
【００５７】
（実施形態６）
本発明の実施形態６として、故人宛、又は／及び、故人が差し出したメールに基づいて戒名を生成する名称生成装置について説明する。
【００５８】
（実施形態６：構成）
本発明の実施形態６に係る名称生成装置の構成は、実施形態６に係る名称装置のそれと同じである。ただし、本実施形態においては、文章入力器に入力される文章は、故人が差出人、又は／及び、故人が宛先のメールである。「メール」とは、電子メールや、一般の郵便物として配達がされる信書などがある。
【００５９】
電子メール以外のメールを文章入力器に入力する場合には、例えば、スキャナで信書などに記載された文字を画像として読み取り、その後、文字認識装置により、計算機が扱える文章情報に変換する。
【００６０】
また、電子メールを文章入力器に入力する場合には、故人が使用していたメーラに表示される電子メールをコピーアンドペーストにより、入力する。あるいは、メーラは、電子メールの内容をファイルに格納しているので、そのファイルのパスを指定して入力してもよい。
【００６１】
（実施形態６：主な効果）
本実施形態によれば、故人が差出人、又は／及び、故人が宛先のメールという故人にゆかりの深い情報を用いるので、故人にふさわしい戒名が生成される。
【００６２】
（実施形態７）
本発明の実施形態７として、入力されたキーワードに基づいて戒名を生成する名称生成装置について説明する。
【００６３】
（実施形態７：構成）
図１４は、本発明の実施形態７に係る名称生成装置の機能ブロック図を例示する。名称生成装置１４００の構成は、実施形態２から４のいずれか一の名称生成装置と同じである。ただし、名称生成装置１４００の選択手段５０１〜５０５が、キーワード入力器１４０１〜１４０５を有する点が異なっている。
【００６４】
「キーワード入力器」は、キーワードを入力する。例えば、キーワードを入力するための画面を表示し、その画面を通して入力されたキーワードを取得することにより、キーワードの入力を行なう。
【００６５】
本実施形態においては、キーワード入力器に入力されたキーワードを意味解析することで状況説明情報が選択される。
【００６６】
図１５は、キーワード入力器がキーワードを入力するために使用する画面の例を示す。この例では、院号を選択するための画面１５０１が示されており、入力エリア１５０２〜１５０４にキーワードが入力できる。例えば、入力エリア１５０２には、故人の信仰する宗派を示すキーワードが入力され、入力エリア１５０３には、故人が信徒であった寺院の名称を示すキーワードが入力され、入力エリア１５０４には、故人が信徒であった寺院の住職の名前を示すキーワードが入力される。
【００６７】
例えば、故人が信徒であった寺院の名称を示すキーワードを使用して院号を選択するための状況説明情報が選択される。一例としては、寺院の名称がそのまま院号となる状況説明情報が選択される。あるいは、名称生成装置は、寺院の上下関係をデータベースに格納して保持しており、名称を示すキーワードが入力された寺院の上位の寺院の名称を院号として使用する状況説明情報が選択される。あるいは、住職の名前の一部を用いた院号が生成される状況説明情報が選択されるなどである。
【００６８】
（実施形態７：主な効果）
本実施形態により、キーワードという質問がしやすく、また、利用者が答えやすい形態で戒名を生成することができる。
【産業上の利用可能性】
【００６９】
本発明によれば、特定の寺院などの檀家ではなく、故人の親や親族などとの関係上たまたま特定の宗派で葬儀を挙げることになった際に、効率的に戒名を生成することが可能となるなどの効果を有し、名称生成装置として有用である。
【図面の簡単な説明】
【００７０】
【図１】本発明の実施形態１に係る名称生成装置の機能ブロック図
【図２】院号情報の表わす値と院号との関連付けを保持するデータ構造の一例図
【図３】院号を示す文字列がメモリに格納された状態を説明する図
【図４】名称生成装置の処理のフローチャート
【図５】本発明の実施形態２に係る名称生成装置の機能ブロック図
【図６】院号情報の情報取得をするための画面の一例図
【図７】院号情報の情報取得を行なうための画面の一例図
【図８】院号情報取得部などの処理のフローチャート
【図９】本発明の実施形態３に係る名称生成装置の機能ブロック図
【図１０】名称生成装置の処理のフローチャート
【図１１】プルダウンメニューを利用して選択を利用者にさせるための画面の一例図
【図１２】本発明の実施形態５に係る名称生成装置の機能ブロック図
【図１３】テキストエリアが含まれる画面表示の一例図
【図１４】本発明の実施形態７に係る名称生成装置の機能ブロック図
【図１５】キーワード入力器がキーワードを入力するために使用する画面の一例図
【符号の説明】
【００７１】
１００  名称生成装置
１０１  院号情報取得部
１０２  譽号情報取得部
１０３  道号情報取得部
１０４  法号情報取得部
１０５  位号情報取得部
１０６  戒名生成部
【図１】
2005216193.tif 000003
【図２】
2005216193.tif 000004
【図３】
2005216193.tif 000005
【図４】
2005216193.tif 000006
【図５】
2005216193.tif 000007
【図６】
2005216193.tif 000008
【図７】
2005216193.tif 000009
【図８】
2005216193.tif 000010
【図９】
2005216193.tif 000011
【図１０】
2005216193.tif 000012
【図１１】
2005216193.tif 000013
【図１２】
2005216193.tif 000014
【図１３】
2005216193.tif 000015
【図１４】
2005216193.tif 000016
【図１５】
2005216193.tif 000017